(57)【特許請求の範囲】
【請求項１】
接続する管の端部に外嵌して管同士を気密に接続する継手本体とパッキンとナット部材とからなる管継手において、
前記継手本体は、中央部内面から順に接続管が挿通する貫通孔と、パッキンが装着される小径環状部と段部と大径環状部とを有し、さらにナット部材が螺合する雌ねじとを有し、
前記パッキンは、前記継手本体の小径環状部に装着できる環状のシール部と、前記大径環状部に装着してナット部材に押圧される環状の圧縮部と、該シール部と圧縮部の間に保持されて前記段部に係止するリテーナとを有するとともに、前記リテーナの外径は前記圧縮部の外径と近似し、前記リテーナの内径は前記シール部及び前記圧縮部の内径よりも大きく形成され、
前記パッキンの端部にカラーを装着して前記ナット部材を締付けることにより接続することを特徴とするパッキン型管継手。
【発明の詳細な説明】
【０００１】
【発明の属する技術分野】
本発明は管同士を気密に保持して接続するパッキンを用いたパッキン型管継手に関するものである。
【０００２】
【従来の技術】
従来、継手本体内にパッキンと共に管の表面に係止する硬質の抜止リングを装着し、継手本体に螺合するナットで抜止リングと共にパッキンを圧縮し、シールと管の抜止めを同時に行う管継手が知られている。
【０００４】
【発明が解決しようとする課題】
しかしながら上記の管継手では、接続後において管に引抜き力が作用した場合、管の移動に伴い抜止めリングが継手内で移動し、管表面により強く係止して管が引抜かれるのを防止するが、抜止リングの継手内での移動によってパッキンの初期の圧縮力が低下し、そのためにパッキンの気密保持性能が低下し漏れたりする問題があった。
また抜止リングは通常複雑な形状をしているため製造上の問題があり、更にこの複雑な抜止リングを継手内に装着するために継手本体が大きくまた重くなり、更に部品点数が多くなって接続時の施工が複雑になる等の問題があった。
本発明は上記の問題点を解消するためになされたものであって、管に引抜き力が作用してもパッキンのシール性を損なわず、部品点数を少なくしてコンパクトで施工性の良いパッキン型管継手を提供するものである。
【０００５】
【課題を解決するための手段】
本発明の要旨は、接続する管の端部に外嵌して管同士を気密に接続する継手本体とパッキンとナット部材とからなる管継手において、
前記継手本体は、中央部内面から順に接続管が挿通する貫通孔と、パッキンが装着される小径環状部と段部と大径環状部とを有し、さらにナット部材が螺合する雌ねじとを有し、
前記パッキンは、前記継手本体の小径環状部に装着できる環状のシール部と、前記大径環状部に装着してナット部材に押圧される環状の圧縮部と、該シール部と圧縮部の間に保持されて前記段部に係止するリテーナとを有するとともに、前記リテーナの外径は前記圧縮部の外径と近似し、前記リテーナの内径は前記シール部及び前記圧縮部の内径よりも大きく形成され、
前記パッキンの端部にカラーを装着して前記ナット部材を締付けることにより接続することを特徴とするパッキン型管継手である。
【０００６】
【作用】
本発明は上記の構成であるから、継手本体内に管を装着しナット部材を締付けることにより、前記パッキンの端部がカラーを介して押圧され、パッキンに保持されているリテーナが継手本体の段部に係止する。このためパッキンの圧縮部がリテーナとナット部材間で圧縮されて管の表面を強固に圧縮し管を抜止め保持する。またパッキンのシール部は前記リテーナが段部に係止されるため、適度な所定のシール圧力を受けて保持される。特にリテーナが段部に係止することによって、それ以上移動されないからパッキン奥側のシール部は適度な圧縮力を保持して管との間をシールする。また管に引抜け力が作用して継手内で移動が生じても、パッキン圧縮部の大きな圧縮作用によってパッキンシール部の圧縮力が低下せず、管の移動に伴うシール部の圧縮力低下が生じない。またパッキン内にリテーナが保持されているので接続時の作業性が良い。
【０００７】
【発明の実施形態】
以下本発明の実施例について図面を参照して説明する。
図１は本発明の一実施例を示す管を接続した状態を示し、継手本体１の端部内面にナット２が螺合する雌ねじ１１を有す。その奥にはパッキン３が装着される大径環状部１２と段部１３を有して小径環状部１４を有す。この大径環状部１２と小径環状部１４は平行内面で、この中間部に傾斜する段部１３で連続したパッキン装着部を形成している。小径環状部１４の奥側は接続する管６が挿通する内径の貫通孔１５になっている。尚、段部１３は直角の壁であってもよい。
【０００８】
パッキン３は前記継手本体１の小径環状部１４に装着するシール部３１と大径環状部１４に装着する圧縮部３２とこのシール部３１と圧縮部３２間に挟着して保持した環状金属製のリテーナ３３とからなる。リテーナ３３の外径は略圧縮部３２の外径と近似しており、前記継手本体の段部１３に係止される。内径はパッキン３の内径よりも大きく、従ってシール部３１と圧縮部３２は連続した一体の弾性を有すゴムで形成されている。
【０００９】
パッキン３の端部にはカラー５を装着してあり、ナット２は継手本体の雌ねじ１１に螺合するおねじ２１を有し、端部に継手本体１の外径とほぼ同じ寸法の六角部２２を設けてある。
ナット２を継手本体１に締付けることにより、ナット２の端部２３がカラー５を介してパッキン３を継手の内奥部へ押圧する。パッキン３はそのシール部３１を適度に圧縮した状態でリテーナ３３が段部１３に係止されるので、圧縮部３２が大きな圧縮力を受けて管６の表面を強固に圧縮し、管を抜止め保持する。
【００１０】
管６を接続した後、管に引抜け力が作用して継手内で移動しても、パッキン圧縮部３２の圧縮力が低下せずに管を保持し、また圧縮部３２の大きな圧縮力でシール部３１のシールに必要な適正な圧縮力が低下しない。このため長期にわたって適正な管の保持力と良好な気密性能を保持する。
また継手本体１の内面は接続管６を挿通できる貫通孔１５に設けてあるため、例えば接続する管６が両側共配管され固定した状態の最終的に接続する部分であっても、管６に継手本体を挿通して移動させることによって、容易に接続管６を突合せ接続することができる。
また従来のパッキン型管継手に比べて部品点数が少なく、継手全体をコンパクトに形成でき重量も軽減できるため、配管の施工性が良い。
【００１１】
【発明の効果】
以上説明の通り本発明は、管に引抜き力が作用して移動が生じても常に良好なシール性を保持し、また管を保持する。更に部品点数が少なくて済み、コンパクトに形成できて施工性に優れたパッキン型管継手である。
【図面の簡単な説明】
【図１】  本発明の一実施例の接続状態を示す半断面図である。
１  継手本体                      ２  ナット
３  パッキン                      ５  カラー
６  管                            １１  雌ねじ
１２  大径環状部                  １３  段部
１４  小径環状部                  １５  貫通孔
２１  おねじ                      ２２  六角部
２３  端部                        ３１  シール部
３２  圧縮部                      ３３  リテーナ
【図１】
0004061513.tif 000002